(57)【特許請求の範囲】
【請求項１】
ＩＣカードから定期的に読み取った情報に基づき認証している間、前記ＩＣカードの所有者による利用を許可する情報処理装置において、
前記ＩＣカードを利用した所有者の認証後、前記ＩＣカードの読取り不可により前記ＩＣカードの所有者が認証されなくなった場合、前記情報処理装置の利用を禁止する利用禁止手段と、
前記ＩＣカードの読取りが不可になったときに、その旨を示す警告を提示する警告手段と、
前記ＩＣカードの所有者により継続して利用されているかどうかを判定する判定手段と、
前記ＩＣカードの読取りが不可になってから予め設定された抑止期間内に前記判定手段により前記ＩＣカードの所有者により利用されていると判定されている間、前記利用禁止手段による利用の禁止を抑止させる利用制御手段と、
を有し、
前記判定手段は、前記ＩＣカードの読取り可能時に前記ＩＣカードの所有者を撮像した基準撮像データと、前記ＩＣカードの読取りが不可になってから前記情報処理装置の利用者を撮像した判定撮像データと、を照合し、前記判定画像データにより特定された人物が前記基準画像データにより特定される人物と同一人物である場合に、前記ＩＣカードの所有者により継続して利用されていると判定することを特徴とする情報処理装置。
【請求項２】
ＩＣカードから定期的に読み取った情報に基づき認証している間、前記ＩＣカードの所有者による利用を許可する情報処理装置において、
前記ＩＣカードを利用した所有者の認証後、前記ＩＣカードの読取り不可により前記ＩＣカードの所有者が認証されなくなった場合、前記情報処理装置の利用を禁止する利用禁止手段と、
前記ＩＣカードの読取りが不可になったときに、その旨を示す警告を提示する警告手段と、
前記ＩＣカードの所有者により継続して利用されているかどうかを判定する判定手段と、
前記ＩＣカードの読取りが不可になってから予め設定された抑止期間内に前記判定手段により前記ＩＣカードの所有者により利用されていると判定されている間、前記利用禁止手段による利用の禁止を抑止させる利用制御手段と、
を有し、
前記判定手段は、前記ＩＣカードの読取りが不可になった時点で前記情報処理装置の正面を撮像した判定撮像データを解析することにより前記情報処理装置の正面に人物の存在が確認された場合、前記ＩＣカードの所有者により継続して利用されていると判定することを特徴とする情報処理装置。
【請求項３】
前記警告手段は、前記抑止期間内に読取りが不可になった前記ＩＣカードを利用した認証が成功した場合、前記警告画面の提示を中止することを特徴とする請求項１又は２に記載の情報処理装置。
【請求項４】
前記判定手段は、ユーザ操作手段に対する操作がされている場合に、当該所有者により継続して利用されていると判定することを特徴とする請求項１又は２に記載の情報処理装置。
【請求項５】
ＩＣカードから定期的に読み取った情報に基づき認証している間、前記ＩＣカードの所有者による利用を許可するコンピュータを、
前記ＩＣカードを利用した所有者の認証後、前記ＩＣカードの読取り不可により前記ＩＣカードの所有者が認証されなくなった場合、前記情報処理装置の利用を禁止する利用禁止手段、
前記ＩＣカードの読取りが不可になったときに、その旨を示す警告を提示する警告手段、
前記ＩＣカードの所有者により継続して利用されているかどうかを判定する判定手段、
前記ＩＣカードの読取りが不可になってから予め設定された抑止期間内に前記判定手段により前記ＩＣカードの所有者により利用されていると判定されている間、前記利用禁止手段による利用の禁止を抑止させる利用制御手段、
として機能させ、
前記判定手段は、前記ＩＣカードの読取り可能時に前記ＩＣカードの所有者を撮像した基準撮像データと、前記ＩＣカードの読取りが不可になってから前記情報処理装置の利用者を撮像した判定撮像データと、を照合し、前記判定画像データにより特定された人物が前記基準画像データにより特定される人物と同一人物である場合に、前記ＩＣカードの所有者により継続して利用されていると判定することを特徴とするプログラム。
【請求項６】
ＩＣカードから定期的に読み取った情報に基づき認証している間、前記ＩＣカードの所有者による利用を許可するコンピュータを、
前記ＩＣカードを利用した所有者の認証後、前記ＩＣカードの読取り不可により前記ＩＣカードの所有者が認証されなくなった場合、前記情報処理装置の利用を禁止する利用禁止手段、
前記ＩＣカードの読取りが不可になったときに、その旨を示す警告を提示する警告手段、
前記ＩＣカードの所有者により継続して利用されているかどうかを判定する判定手段、
前記ＩＣカードの読取りが不可になってから予め設定された抑止期間内に前記判定手段により前記ＩＣカードの所有者により利用されていると判定されている間、前記利用禁止手段による利用の禁止を抑止させる利用制御手段、
として機能させ、
前記判定手段は、前記ＩＣカードの読取りが不可になった時点で前記情報処理装置の正面を撮像した判定撮像データを解析することにより前記情報処理装置の正面に人物の存在が確認された場合、前記ＩＣカードの所有者により継続して利用されていると判定することを特徴とするプログラム。
【発明の詳細な説明】
【技術分野】
【０００１】
本発明は、情報処理装置、特にＩＣカードから定期的に読み取った情報に基づき認証している間、ＩＣカードの所有者による利用を許可する情報処理装置及びその情報処理装置を機能させるためのプログラムに関する。
【背景技術】
【０００２】
従来から、パーソナルコンピュータのログイン方法として、接触タイプ／非接触タイプのＩＣカードを使用したＩＣカードログオンがある。ＩＣカードログオンでは、ＰＣの不正利用の防止のために、ＩＣカードをＰＣ搭載のＩＣカードリーダに読み取らせ、ＩＣカードのＰＩＮ（Ｐｅｒｓｏｎａｌ  Ｉｄｅｎｔｉｆｉｃａｔｉｏｎ  Ｎｕｍｂｅｒ）をユーザに入力させる。ＰＩＮを用いた照合に成功すると、更に、ＰＣは、ＩＣカードに記録されている証明書を読み取り、その証明書による認証を行う。そして、認証に成功してはじめてログオン状態になる。
【０００３】
ログオン後、ＰＣ搭載のＩＣカードリーダがＩＣカードから証明書を定期的に読み取り、ログオン時と同様に証明書による認証を行う。この認証に成功している間、ユーザは、ＰＣを継続して利用することができる。そのために、ユーザは、ＩＣカードをＩＣカードリーダにより読み取り可能な状態に常時セットしておく必要がある。具体的には、ＰＣ内蔵等接触タイプのＩＣカードリーダに対しては、ＩＣカードを挿着した状態のままにし、非接触タイプのＩＣカードリーダに対しては、ＩＣカードをＩＣカードリーダ上に置いた状態にしておく（あるいはカードリーダに重ねておく）。
【０００４】
ＩＣカードリーダがＩＣカードを読み取れなくなると、ＰＣは、ＩＣカードの所有者がＰＣの利用を中断したと判断して画面をロックしてＰＣの利用を禁止する。
【０００５】
従来では、ＩＣカードリーダがＩＣカードを読み取れない状態になった場合、一定時間待機しながら読取りのリトライを行い、そのリトライ回数が所定回数を超えるまでは利用不可としない技術が提案されている（例えば、特許文献１）。
【先行技術文献】
【特許文献】
【０００６】
【特許文献１】特開２０１１−１５８９５４号公報
【発明の概要】
【発明が解決しようとする課題】
【０００７】
ところで、前述したように、ＰＣの利用時には、ＩＣカードをＩＣカードリーダにより常時読取可能な状態にセットしておく必要がある。しかしながら、読取可能な状態にセットしていたのにもかかわらず、例えば衝突や振動等によってＩＣカードがずれてしまい、ＩＣカードリーダがＩＣカードを読み取れない状態になると、ＰＣは即座に画面ロックの状態になり、継続した利用を禁止する。
【０００８】
このような場合、ユーザは、作業の中断を余儀なくされてしまう。そして、ＰＣを利用可能な状態に戻すためにＩＣカードを抜き差しなどして読取可能な状態にセットし直した後、ＰＩＮの入力を改めて行うことになる。
【０００９】
本発明は、ＩＣカードが読取不可となる前の利用者により継続して利用される場合には、ＩＣカードが読取不可になった場合でも利用禁止状態に即座になることを抑止することを目的とする。
【課題を解決するための手段】
【００１０】
本発明に係る情報処理装置は、ＩＣカードから定期的に読み取った情報に基づき認証している間、前記ＩＣカードの所有者による利用を許可する情報処理装置において、前記ＩＣカードを利用した所有者の認証後、前記ＩＣカードの読取り不可により前記ＩＣカードの所有者が認証されなくなった場合、前記情報処理装置の利用を禁止する利用禁止手段と、前記ＩＣカードの読取りが不可になったときに、その旨を示す警告を提示する警告手段と、前記ＩＣカードの所有者により継続して利用されているかどうかを判定する判定手段と、前記ＩＣカードの読取りが不可になってから予め設定された抑止期間内に前記判定手段により前記ＩＣカードの所有者により利用されていると判定されている間、前記利用禁止手段による利用の禁止を抑止させる利用制御手段と、を有し、前記判定手段は、前記ＩＣカードの読取り可能時に前記ＩＣカードの所有者を撮像した基準撮像データと、前記ＩＣカードの読取りが不可になってから前記情報処理装置の利用者を撮像した判定撮像データと、を照合し、前記判定画像データにより特定された人物が前記基準画像データにより特定される人物と同一人物である場合に、前記ＩＣカードの所有者により継続して利用されていると判定するものである。
本発明に係る情報処理装置は、ＩＣカードから定期的に読み取った情報に基づき認証している間、前記ＩＣカードの所有者による利用を許可する情報処理装置において、前記ＩＣカードを利用した所有者の認証後、前記ＩＣカードの読取り不可により前記ＩＣカードの所有者が認証されなくなった場合、前記情報処理装置の利用を禁止する利用禁止手段と、前記ＩＣカードの読取りが不可になったときに、その旨を示す警告を提示する警告手段と、前記ＩＣカードの所有者により継続して利用されているかどうかを判定する判定手段と、前記ＩＣカードの読取りが不可になってから予め設定された抑止期間内に前記判定手段により前記ＩＣカードの所有者により利用されていると判定されている間、前記利用禁止手段による利用の禁止を抑止させる利用制御手段と、を有し、前記判定手段は、前記ＩＣカードの読取りが不可になった時点で前記情報処理装置の正面を撮像した判定撮像データを解析することにより前記情報処理装置の正面に人物の存在が確認された場合、前記ＩＣカードの所有者により継続して利用されていると判定するものである。
【００１１】
また、前記警告手段は、前記抑止期間内に読取りが不可になった前記ＩＣカードを利用した認証が成功した場合、前記警告画面の提示を中止するものである。
【００１４】
また、前記判定手段は、ユーザ操作手段に対する操作がされている場合に、当該所有者により継続して利用されていると判定するものである。
【００１５】
本発明に係るプログラムは、ＩＣカードから定期的に読み取った情報に基づき認証している間、前記ＩＣカードの所有者による利用を許可するコンピュータを、前記ＩＣカードを利用した所有者の認証後、前記ＩＣカードの読取り不可により前記ＩＣカードの所有者が認証されなくなった場合、前記情報処理装置の利用を禁止する利用禁止手段、前記ＩＣカードの読取りが不可になったときに、その旨を示す警告を提示する警告手段、前記ＩＣカードの所有者により継続して利用されているかどうかを判定する判定手段、前記ＩＣカードの読取りが不可になってから予め設定された抑止期間内に前記判定手段により前記ＩＣカードの所有者により利用されていると判定されている間、前記利用禁止手段による利用の禁止を抑止させる利用制御手段、として機能させ、前記判定手段は、前記ＩＣカードの読取り可能時に前記ＩＣカードの所有者を撮像した基準撮像データと、前記ＩＣカードの読取りが不可になってから前記情報処理装置の利用者を撮像した判定撮像データと、を照合し、前記判定画像データにより特定された人物が前記基準画像データにより特定される人物と同一人物である場合に、前記ＩＣカードの所有者により継続して利用されていると判定するためのものである。
本発明に係るプログラムは、ＩＣカードから定期的に読み取った情報に基づき認証している間、前記ＩＣカードの所有者による利用を許可するコンピュータを、前記ＩＣカードを利用した所有者の認証後、前記ＩＣカードの読取り不可により前記ＩＣカードの所有者が認証されなくなった場合、前記情報処理装置の利用を禁止する利用禁止手段、前記ＩＣカードの読取りが不可になったときに、その旨を示す警告を提示する警告手段、前記ＩＣカードの所有者により継続して利用されているかどうかを判定する判定手段、前記ＩＣカードの読取りが不可になってから予め設定された抑止期間内に前記判定手段により前記ＩＣカードの所有者により利用されていると判定されている間、前記利用禁止手段による利用の禁止を抑止させる利用制御手段、として機能させ、前記判定手段は、前記ＩＣカードの読取りが不可になった時点で前記情報処理装置の正面を撮像した判定撮像データを解析することにより前記情報処理装置の正面に人物の存在が確認された場合、前記ＩＣカードの所有者により継続して利用されていると判定するためのものである。
【発明の効果】
【００１６】
本発明によれば、ＩＣカードが読取不可となる前の利用者により継続して利用される場合には、ＩＣカードが読取不可になった場合でも利用禁止状態に即座になることを抑止することができる。
【図面の簡単な説明】
【００１７】
【図１】本発明に係る情報処理装置の一実施の形態であるＰＣをエレベータ装置と有線接続して構成されたシステム構成図である。
【図２】本実施の形態におけるＰＣを示すブロック構成図である。
【図３】本実施の形態におけるＰＣのハードウェア構成図である。
【図４】本実施の形態においてＩＣカードログオン後における動作を示したフローチャートである。
【図５】本実施の形態における継続利用判定処理を示したフローチャートである。
【発明を実施するための形態】
【００１８】
以下、図面に基づいて、本発明の好適な実施の形態について説明する。
【００１９】
図１は、本発明に係る情報処理装置の一実施の形態であるパーソナルコンピュータ（ＰＣ）をエレベータ装置と有線接続して構成されたシステム構成図である。また、図２は、本実施の形態におけるＰＣを示すブロック構成図である。なお、図２では、本実施の形態の説明に用いない構成要素については省略している。
【００２０】
図３は、本実施の形態におけるＰＣ１０のハードウェア構成図である。本実施の形態におけるＰＣ１０は、図３に示したようにＣＰＵ２１、ＲＯＭ２２、ＲＡＭ２３、ハードディスクドライブ（ＨＤＤ）２４を接続したＨＤＤコントローラ２５、入力手段として設けられたマウス２６とキーボード２７、表示装置として設けられたディスプレイ２８、ＰＣ１０の利用者を撮像する撮影手段として設けられたカメラ３１、ＰＣ１０の利用者が携帯するＩＣカードの読取手段であるＩＣカードリーダ３２及びＬＡＮインタフェース（Ｉ／Ｆ）３３をそれぞれ接続する入出力コントローラ２９を内部バス３０に接続して構成される。カメラ３１及びＩＣカードリーダ３２は、ＰＣ内蔵型でも外部接続型でもよい。ＩＣカードリーダ３２は、更にＩＣカードと接触型でも非接触型でもよい。
【００２１】
図２に戻り、ＰＣ１０は、カード読取部１１、カード認証部１２、基準画像取得部１３、警告表示部１４、継続利用判定部１５、画面ロック制御部１６、利用制御部１７、個人情報記憶部１８及び基準画像記憶部１９を有している。カード読取部１１は、ＩＣカードリーダ３２と連携動作してＩＣカードを読み取る。カード認証部１２は、カード読取部１１によりＩＣカードから読み取られたＰＩＮ及び証明書等の情報に基づきユーザの認証を行う。基準画像取得部１３は、カード認証部１２による認証が成功することによりＩＣカードログオンに成功したＰＣ１０の利用者の顔を含む画像を、ＩＣカードログオンしたユーザを認証するための基準画像として取得し、基準画像記憶部１９に保存する。警告表示部１４は、警告手段として設けられ、カード読取部１１におけるＩＣカードの読取りが不可になったときに、その旨を示す警告をＰＣ１０の利用者に提示する一形態として警告画面をディスプレイ２８に表示する。また、継続利用判定部１５は、判定手段として設けられ、継続利用判定処理を実行することで、ＰＣ１０がＩＣカードの所有者により継続して利用されているかどうかを判定する。画面ロック制御部１６は、利用禁止手段として設けられ、ＩＣカードを利用した所有者の認証後、ＩＣカードの読取り不可によりＩＣカードの所有者が認証されなくなった場合、画面ロックを行うことでＰＣ１０の利用を禁止する。また、ＩＣカードの所有者が認証されなくなった後に改めて認証された場合、画面ロックの解除を行うことでＰＣ１０の利用を再開させる。利用制御部１７は、他の構成要素１１〜１６と連携動作し、ＩＣカードログオンしたユーザのＰＣ１０の利用に関する動作制御を行う。特に、本実施の形態における利用制御部１７は、利用制御手段として設けられ、カード読取部１１におけるＩＣカードの読取りが不可になってから予め設定された抑止期間内に、継続利用判定部１５によりＩＣカードの所有者によりＰＣ１０が利用されていると判定されている間、画面ロック制御部１６による利用の禁止を抑止させる。また、ＩＣカードログアウトがされたときに基準画像記憶部１９に保持されている基準画像を消去する。
【００２２】
個人情報記憶部１８には、ＰＣ１０の利用者となりうるＩＣカードの所有者に関する個人情報が記憶される。個人情報には、ＩＣカードの所有者であり、ＰＣ１０の利用が許可されているユーザ又は当該ユーザが携帯するＩＣカードの識別情報に対応させて、カード読取部１１によりＩＣカードから読み取られた証明書と照合するための証明書情報等が少なくとも含まれている。本実施の形態では、ユーザの識別情報（ユーザＩＤ）に対応させるものとして説明する。基準画像記憶部１９には、基準画像取得部１３により取得された基準画像が記憶される。
【００２３】
ＰＣ１０における各構成要素１１〜１７は、ＰＣ１０を形成するコンピュータと、コンピュータに搭載されたＣＰＵ２１で動作するプログラムとの協調動作により実現される。また、記憶部１８，１９は、ＰＣ１０に搭載されたＨＤＤ２４にて実現される。あるいは、ＲＡＭ２３又は図示しないネットワークコントローラを介して外部にある記憶手段をネットワーク経由で利用してもよい。
【００２４】
また、本実施の形態で用いるプログラムは、通信手段により提供することはもちろん、ＣＤ−ＲＯＭやＤＶＤ−ＲＯＭ等のコンピュータ読み取り可能な記録媒体に格納して提供することも可能である。通信手段や記録媒体から提供されたプログラムはコンピュータにインストールされ、コンピュータのＣＰＵがプログラムを順次実行することで各種処理が実現される。また、プログラムには、コンピュータで実行する保守ツールやワードプロセッサなどのアプリケーションが含まれる。
【００２５】
本実施の形態におけるＰＣ１０は、ＯＳが提供するユーザＩＤ及びパスワードによるユーザ認証とは別に、ＰＣ１０の利用者となりうる者がそれぞれ携帯するＩＣカードを用いたユーザ認証を行う。具体的には、ＩＣカードをＩＣカードリーダ３２により読み取り可能な状態にセットすることでディスプレイ２８に表示されるＰＩＮ入力画面からＰＩＮをユーザに入力させる。カード認証部１２は、ユーザにより入力されたＰＩＮを、カード読取部１１からＩＣカードに送信、照合させ結果を受信する。ＰＩＮによる認証が成功すると、カード認証部１２は、ＩＣカードの証明書を検証する。検証が成功したら、証明書データに対応するユーザのＩＤを、個人情報記憶部１８に記憶されているＩＤリストから取得し、当該ＩＤのユーザをログオンさせる。そして、照合に成功することによって、ＩＣカードの所有者は、ＩＣカードログオンに成功する。
【００２６】
なお、本実施の形態において、「ＩＣカードの所有者」というのは、ＩＣカードの正規な所有者のことを言う。「ＰＣ１０の利用者」というのは、ＩＣカードログオンに成功して、ＰＣ１０を正当に利用できるようになった者のことを言う。ＩＣカードの所有者がＩＣカードログオンに成功したならば、ＰＣ１０の利用者にもなる。「ユーザ」というのは、ＩＣカードの所有者を含み、ユーザ認証の有無にかかわらずＰＣ１０を操作する者を総称している。
【００２７】
次に、本実施の形態において、ＩＣカードログオンした後における動作について図４に示したフローチャートを用いて説明する。
【００２８】
ＰＣ１０を操作しているユーザによるＩＣカードログオンが成功したことを認識すると、利用制御部１７は、基準画像の取得を基準画像取得部１３に指示する。基準画像取得部１３は、利用制御部１７からの指示に応じてカメラ３１を動作させて、ＩＣカードログオンに成功したＰＣ１０の利用者の顔を含む画像を基準画像として取得し、基準画像記憶部１９に保存する（ステップ１１０）。基準画像は、後述するようにＰＣ１０の利用者が正当にＰＣ１０を利用し続けているかの判定に用いられるので、基準画像には人物の同一性が判定しやすい顔の画像が含まれるように、ＩＣカードログオン後のキーボード２７やマウス２６などの操作時点の画像を撮影する。
【００２９】
その後、利用制御部１７は、所定時間経過した後（ステップ１２０）、カード読取部１１にＩＣカードから証明書データを読み取らせる。カード読取部１１による読み取りが成功すると（ステップ１３０でＹ）、カード認証部１２は、ＩＣカードの証明書を検証する。検証が成功した場合、ＰＣ１０がＩＣカードログオンしたＩＣカードの所有者によって継続して利用されていると判断し（ステップ１４０でＹ）、ステップ１２０に戻り、次のＩＣカードの読み取りまで所定時間待機する。ＰＣ１０は、ＩＣカードから所定時間毎に定期的に読み取った情報、すなわち証明書データに基づき認証している間、ＩＣカードの所有者による利用を許可する。このＩＣカードを用いたユーザ認証処理は、従前と同様でよい。なお、ステップ１２０における所定時間というのは、前述したようにＩＣカードを用いたユーザ認証を繰り返し実行する際の時間間隔であり、ＰＣ１０に予め設定されている時間である。
【００３０】
一方、照合の結果、証明書データが一致していないことからＰＣ１０がＩＣカードログオンしたユーザにより継続して利用されていないと判断すると（ステップ１４０でＮ）、画面ロック制御部１６による画面ロック・ロック解除処理に移行することで、画面ロックされる（ステップ１５０）。これにより、ＰＣ１０の利用者は、ＰＣ１０を継続して利用できなくなる。
【００３１】
ここで、画面がロックされた後でもＰＣ１０を継続して利用したい場合、ユーザは、ＩＣカードを抜き差しなどして読取可能な状態にセットし直す。この操作により、カード読取部１１がＩＣカードの読み取りに成功すると、カード認証部１２は、ＰＩＮ入力画面をディスプレイ２８に表示してＰＩＮをユーザに入力させる。カード認証部１２は、ユーザにより入力されたＰＩＮを、カード読取部１１に送信、照合させ結果を受信する。ＰＩＮによる認証が成功すると、カード認証部１２は、続けてＩＣカードの証明書を検証する。この検証が成功することによって画面のロックが解除され、ＩＣカードの所有者は、ＰＣ１０を継続して利用できるようになる。この画面ロック・ロック解除処理は、従前と同じ処理でよい。
【００３２】
所定時間経過した後（ステップ１２０）、カード読取部１１は、ＩＣカードに記録されている証明書データを読み取りにいくが、例えば衝突や振動等が原因でＩＣカードがずれてしまい、ＩＣカードリーダ３２により読み取りができなくなる場合がある。このようにして、ＩＣカードの読み取りの失敗が検出されると（ステップ１３０でＮ）、利用制御部１７は、警告表示部１４に警告画面の表示を指示する。警告表示部１４は、この指示に応じて、例えば「カードが読み取れませんが、そのまま利用できるようにしています。カードの位置を確認してください。」など、その旨を示す警告画面をディスプレイ２８に表示する（ステップ１６０）。警告表示部１４は、警告画面をディスプレイ２８の表示領域全体に表示する必要はなく、むしろユーザによる現在の利用を妨げることがない大きさで表示するのが好ましい。あるいは、現在利用中のアプリケーションのメッセージ行等に警告メッセージを表示するようにしてもよい。
【００３３】
続けて、継続利用判定部１５は、ＰＣ１０がＰＣ１０の利用者でありＩＣカードの所有者でもあるユーザにより継続して利用されているかどうかを判定するために継続利用判定処理を実行する（ステップ１７０）。この継続利用判定処理については、追って詳述する。
【００３４】
継続利用判定部１５によりＰＣ１０の利用者により継続して利用されていないと判定された場合（ステップ１８０でＮ）、画面ロック制御部１６による画面ロック・ロック解除処理に移行することで画面ロックされる（ステップ１５０）。これにより、ＰＣ１０の利用者は、ＰＣ１０を継続して利用できなくなる。なお、画面ロック・ロック解除処理についてはすでに説明している。
【００３５】
継続利用判定部１５によりＰＣ１０の利用者により継続して利用されていると判定された場合（ステップ１８０でＹ）、利用制御部１７は、カード読取部１１によりＩＣカードが正常に読み取れる状態になっているかを確認する。ユーザがＩＣカードを抜き差しなどして読取可能な状態にセットし直したことにより、カード読取部１１がＩＣカードの読み取りに成功すると（ステップ１９０でＹ）、カード認証部１２は、ＩＣカードの証明書を検証する。ここで、検証が成功した場合（ステップ２００でＹ）、利用制御部１７は、警告表示部１４に警告画面の消去を指示する。警告表示部１４は、この指示に応じて、警告画面をディスプレイ２８から消去する（ステップ２１０）。このように、ＰＣ１０の利用者は、ＩＣカードが正常に読み取れない状態になっても画面がロックされることなくＰＣ１０を継続して利用することができる。
【００３６】
一方、カード読取部１１がＩＣカードの読み取りに成功しない場合（ステップ１９０でＮ）、利用制御部１７は、ＩＣカードの読み取り失敗直後に継続利用判定部１５により継続利用判定処理が実行されてからの経過時間を計測し（ステップ２２０）、その計測時間を予め設定された所定時間（タイムアウト時間）と比較する。その結果、計測時間がタイムアウト時間を超えていなければ（ステップ２３０でＮ）、ステップ１７０に戻り、利用制御部１７は、継続利用判定部１５に継続利用判定処理を実行させる。
【００３７】
計測時間がタイムアウト時間を超えていた場合（ステップ２３０でＹ）、タイムアウトが発生したことになり、画面がロックされる（ステップ１５０）。これにより、ＰＣ１０の利用者は、ＰＣ１０を継続して利用できなくなる。なお、画面ロック・ロック解除処理についてはすでに説明している。
【００３８】
以上の処理からわかるように、ＰＣ１０の利用者がＰＣ１０を継続して利用したいのであれば、タイムアウトが発生する前にＩＣカードが正常に読み取られるようにＩＣカードを抜き差しなどする必要がある。
【００３９】
ここで、継続利用判定部１５における継続利用判定処理について、図５に示したフローチャートを用いて説明する。
【００４０】
継続利用判定処理は、ＰＣ１０の利用者がＰＣ１０を継続して利用しているかどうかを判定するための処理である。本実施の形態では、顔画像を用いた判定方法とユーザ操作を検出する判定方法を用いている。
【００４１】
継続利用判定部１５は、まず、カメラ３１を動作させて現時点でＰＣ１０を利用しているユーザの顔を含む画像を比較画像として取得する（ステップ１７１）。続けて、継続利用判定部１５は、基準画像記憶部１９に保持されている基準画像を読み出し、比較画像と基準画像の各画像から顔の画像を抽出して比較する（ステップ１７２）。そして、各顔画像を比較した結果、基準画像から特定されるＰＣ１０の利用者と、現時点における撮影により得られた比較画像から特定されるユーザとが同一人物でないと判定した場合（ステップ１７３でＮ）、現時点においては、ＰＣ１０の利用者によりＰＣ１０が継続して利用されていないと判定する（ステップ１７６）。
【００４２】
なお、ここでは、比較画像からも顔画像が抽出されるものとして説明したが、ＰＣ１０の前（カメラ３１の前）から離れることで顔画像が得られなかった場合も、画像の不一致が発生するため同一人物でないと判定されることになる。この画像比較に伴う同一人物かどうかの判定に用いる画像処理技術は、従前からある技術を利用してよい。
【００４３】
一方、画像の比較により同一人物であると判定した場合（ステップ１７３でＹ）、ユーザ操作を検出する判定方法に移行する。すなわち、継続利用判定部１５は、ユーザによる操作の有無を確認する。具体的には、キーボード２７を操作することで何らかの入力がされていないか、あるいはマウス２６が操作されていないか、などユーザが何らかの入力をしていないかを確認する。このようにして、継続利用判定部１５は、ユーザが何らかの操作をしていることを検出すると（ステップ１７４でＹ）、現時点においてＰＣ１０の利用者によりＰＣ１０が継続して利用されていると判定する（ステップ１７５）。一方、ユーザが何らかの操作をしていることが検出されない場合（ステップ１７４でＮ）、継続利用判定部１５は、現時点においては、ＰＣ１０の利用者によりＰＣ１０が継続して利用されていないと判定する（ステップ１７６）。
【００４４】
なお、本実施の形態では、ＰＣ１０の利用者による継続利用の判定方法として、顔画像を用いた判定方法を実施した後にユーザ操作を検出する判定方法を実行したが、これらの判定方法を逆に実行してもよいし、いずれかを選択して実行してもよい。また、ユーザにより起動されたアプリケーションが実行中かどうか、エレベータや他の機器とのネットワーク通信が実行中であるなど、他の判定方法を用いてもよい。また、比較画像と基準画像との比較による顔認証まで実施しなくても、ＩＣカードの読取りが不可になった時点で上記基準画像や比較画像を取得する際の撮影範囲、すなわち人がＰＣ１０を利用する際に位置するであろうＰＣ１０の正面（ＰＣ１０に対向する位置）を撮影した画像を判定撮像データとして取得し、その取得した判定撮像データを解析することによってＰＣ１０の正面に人物の存在が確認された場合、つまり在席状態が確認された場合、ＰＣ１０の利用者によりＰＣ１０が継続して利用されていると判定してもよい。これにより、顔認証を実施する場合に比してＰＣ１０の利用者によるＰＣ１０の継続利用をより迅速かつ簡単に判定することができる。
【００４５】
以上説明したように、本実施の形態においては、ＩＣカードの所有者がＰＣ１０を継続して利用していると判定した場合、所定時間（タイムアウト時間）内であればＩＣカードの読み取りが失敗したからといって即座に画面ロックしない。画面をロックしてしまうと、ＰＣ１０を正規に利用していたＩＣカードの所有者からしてみれば利用が中断されてしまうので不便である。例えば、本実施の形態のようにＰＣ１０をエレベータ保守用の端末として使用する場合、端末には保守用アプリケーション（保守用ツール）がインストールされている。保守用ツールでは、エレベータと端末を接続して、エレベータ内部のデータを参照・設定する、あるいは作業用のマニュアルを見ることができる。保守員は、保守現場では作業内容に合わせて、端末を持ったまま作業することが多い。このような場合に、保守員は、保守現場で端末を持ったまま立った状態で、あるいはしゃがんだ状態で端末を操作することが多く、端末の振動や傾きにより、ＩＣカードを読み取れない状況となることが多い。そこで、本実施の形態においては、ＩＣカードの読み取りが失敗しても、所定時間内においてＰＣ１０を継続して利用していることが確認されている間は、画面ロックをせずに利用可能な状態を一定時間維持することによってＰＣ１０の利用者の便宜を図るようにした。これにより、所定時間内であれば、ＰＣ１０の利用者は文書作成等行っている作業の手を止めずにすむ。
【００４６】
その一方で、ＩＣカードの読み取りが失敗している状態でのＰＣ１０の利用は正常な状態での利用ではないので、ユーザがＰＣ１０を継続して利用していると判定した場合でも、ＩＣカードを正常に読み取れない状態が所定時間続いた場合には画面をロックするようにした。
【００４７】
なお、本実施の形態では、ＩＣカードリーダ３２によるＩＣカードの読み取りに失敗した旨を示す警告を提示するために、警告表示部１４を設けて警告画面をディスプレイ２８に表示するようにした。ここで、警告の提示というのは、警告の旨を示す情報を出力することに相当するが、この旨の提示方法としてはディスプレイ２８への警告メッセージの出力以外にも、例えば音出力又はこれらを組み合わせるなどして警告を提示するようにしてもよい。
【符号の説明】
【００４８】
２  エレベータ装置、１０  パーソナルコンピュータ（ＰＣ）、１１  カード読取部、１２  カード認証部、１３  基準画像取得部、１４  警告表示部、１５  継続利用判定部、１６  画面ロック制御部、１７  利用制御部、１８  個人情報記憶部、１９  基準画像記憶部、２１  ＣＰＵ、２２  ＲＯＭ、２３  ＲＡＭ、２４  ハードディスクドライブ（ＨＤＤ）、２５  ＨＤＤコントローラ、２６  マウス、２７  キーボード、２８  ディスプレイ、２９  入出力コントローラ、３０  内部バス、３１  カメラ、３２  カードリーダ、３３  ＬＡＮインタフェース（Ｉ／Ｆ）。
【図１】
0005991946.tif 000002
【図２】
0005991946.tif 000003
【図３】
0005991946.tif 000004
【図４】
0005991946.tif 000005
【図５】
0005991946.tif 000006